(57)【特許請求の範囲】
【請求項１】
細長い方形の掬い板（１）の一方の端部から斜め上方に向けて複数枚の細長い平板（２・・・７）を設け、その掬い板（１）及び平板（２・・・７）上の両端部及びその中間複数箇所に、掬い板（１）と平板（２・・・７）の幅より長く成された隙間用材（１０・・・１０）を介して、掬い板（１）及び平板（２・・・７）を階段状にして配設されていることを特徴とするグランド整備具。
【請求項２】
請求項１記載の隙間用材（１０・・・１０）に変えて、底部及び後部の形を階段状にした定形板（８・・・８）を平行にして、掬い板（１）及び平板（２・・・７）に対して直角に複数箇所に設け、掬い板（１）及び平板（２・・・７）を階段状にして配設されていることを特徴とするグランド整備具。
【請求項３】
請求項１又は２記載のグランド濾し具において、掬い板（１）と平板（２・・・７）の下部及び後部に網（１３）を配設したことを特徴とするグランド整備具。
【請求項４】
請求項１、２又は３記載のグランド濾し具において、掬い板（１）と平板（２・・・７）の両側面に側板（９、９）を取り付け、その両側板（９、９）の前方端部に軸受けを設け、両端部に車輪（１８、１８）を取り付けたブラシローラー（１９）を回転自在に軸支させて配設したことを特徴とするグランド整備具。
【請求項５】
請求項１、２又は３記載のグランド濾し具において、掬い板（１）の長手方向前方の両端部及び中間複数箇所に前方上方に突き出した滑り板（１４）を設け、両側面に取り付けた両側板（９、９）より後方に突き出した両支持板（１１、１１）の後端部の間に、ローラー（１５）或いは車輪（１８）を回転自在にして軸支させ、濾し具上方面全体に網（１３）を配設したことを特徴とするグランド整備具。
【発明の詳細な説明】
【技術分野】
【０００１】
本発明は、スポーツグランド、テニスコート、公園や砂場の土砂の中にある小石やゴミ等を取り除きながら整地作業をする方法に関するものである。
【背景技術】
【０００２】
従来、スポーツグランド、テニスコート、公園等の地面を整地する方法としては、コートブラシ、グランドレーキ（砂ならし）などを使用している。コートブラシは細長い角材の下面に植え込んだ毛で地面を撫でるようにして均すだけのものである。また、グランドレーキも木・鉄・アルミなどで作られた細長い長方形の板やアングルに握り棒を取り付け一定の角度で地面上を移動させることによって荒れた地面を平らに均し、盛り上がった土砂を削って窪んだ場所に埋めるだけの作業である。また、出願人は先に特願２００２−００３３１０号で、前方部に取り付けたブラシローラーやローラーの回転力を利用して土砂、小石、ゴミを網上に跳ね上げ、その網によって濾されて落ちた土砂を後方部に取り付けたブラシローラーやローラーによって均す方法を提案している。
【０００３】
【特許文献１】特願２００２−００３３１０号
【発明の開示】
【発明が解決しようとする課題】
【０００４】
グランドで競技を始める前に必ず整備作業をする必要がある。それは荒れた地面をコートブラシやグランドレーキ（砂ならし）で均す作業をすることであるが、人が歩き廻らなければならないので以外と時間の掛かる作業である。また、広範囲のグランドには自然に混じり込んだ小石、ゴミ、枯葉などがあり、野球やテニスをする場合、これらのものによって競技中にボールの方向が変わってエラーをさせたり、怪我をさせたりして選手に大きな影響を与える場合があるので必ず取り除かなければならない。また、小学校、保育園、幼稚園、公園の地面にも多数の小石が混じっているのをよく見かけるが、その中で遊んでいる子供たちが怪我をする可能性が非常にある。さらに、出願人は先の特願２００２−００３３１０号で提案している整備具は、グランドの土砂が乾燥した状態で使用した場合は早く濾されて均すことが出来るが、水分を多く含んで荒れたグランドで使用した場合は、ブラシローラーのブラシの中に土砂、小石など詰まって機能せず網上に乗った土も濾されずに残り、引っ張るには重くなり過ぎる問題点がある。
【０００５】
本発明は、上述の点に鑑みて、誰でも簡単に比較的小さな小石も取り除いて地面を均すことやバイク、自転車、自動車などで引っ張ることによって短時間に整地作業が出来ることを課題としたものである。
【課題を解決するための手段】
【０００６】
そこで、本発明の請求項１記載のグランド濾し具（以下、本発明１と言う）は、細長い方形の掬い板１の一方の端部から斜め上方に向けて複数枚の細長い平板２から７を設け、その掬い板１及び平板２から７上の両端部及びその中間複数箇所に、掬い板１と平板２から７の幅より長く成された隙間用材１０・・・１０を介して、掬い板１及び平板２から７を階段状にして配設されていることを特徴としている。
【０００７】
かかる構成により、本発明１のグランド濾し具は、掬い板１を地面に擦らせて移動させた場合、掬い板１上に押し上げられた土砂は掬い板１と平板２から７の隙間によって小石、ゴミは濾されて取り除くことができるものである。      
【０００８】
請求項２記載のグランド濾し具（以下、本発明２と言う）は、請求項１記載の隙間用材１０・・・１０に変えて、底部及び後部の形を階段状にした定形板８・・・８を平行にして、掬い板１及び平板２から７に対して直角に複数箇所に設け、掬い板１及び平板２から７を階段状にして配設されていることを特徴としている。
【０００９】
かかる構成により、本発明２のグランド濾し具は、本発明１と同様に小石、ゴミを濾して取り除くことができるものである。
【００１０】
請求項３記載のグランド濾し具（以下、本発明３と言う）は、請求項１又は２記載のグランド濾し具において、掬い板１と平板２から７の下部及び後部に網１３を配設したことを特徴としている。
【００１１】
かかる構成により、本発明３のグランド濾し具は、掬い板１と平板２，３から７の隙間で一度濾された小さい小石、ゴミを、底面及び後方面に設けた網１３によって、更に小さい小石、ゴミを濾して取り除くことが出来るものである。
【００１２】
請求項４記載のグランド濾し具（以下、本発明４と言う）は、請求項１、２又は３記載のグランド濾し具において、掬い板１と平板２から７の両側面に側板９、９を取り付け、その両側板９、９の前方端部に軸受けを設け、両端部に車輪１８、１８を取り付けたブラシローラー１９を回転自在に軸支させて配設したことを特徴としている。
【００１３】
かかる構成により、本発明４の濾し具を地面上に擦らせて人が引っ張り移動させた時、車輪に固定されて両側板９，９に軸支されているブラシローラー１９は回転して、掬い板１の前方から掬い板１上に押し上げられた土砂を平板２から７上に跳ね上げて小石、ゴミを濾し易くすることができるものである。  
【００１４】
請求項５記載のグランド濾し具（以下、本発明５と言う）は、請求項１、２又は３記載のグランド濾し具において、掬い板１の長手方向前方の両端部及び中間複数箇所に前方上方に突き出した滑り板１４を設け、両側面に取り付けた両側板９、９より後方に突き出した両支持板１１、１１の後端部の間に、ローラー１５或いは車輪１８を回転自在にして軸支させ、濾し具上方面全体に網１）を配設したことを特徴としている。
【００１５】
かかる構成により、本発明５のグランド濾し具は、両側板９，９に紐やパイプを取り付けて自転車、バイク、自動車でスピードを上げて引っ張った場合、掬い板１の先端に当たって掬い板１や平板２，３から７上に跳ね上げられた土砂は網の中に溜められ、走る時の振動によって小石、ごみを振り分けて取り除くことができるものである。
【発明の効果】
【００１６】
本発明１によれば、掬い板１を地面に擦らせて移動させた場合、掬い板１上に押し上げられた土砂は後方下方に傾斜している平板２から７の隙間より大きい小石、ゴミを濾して取り除くことができる。
【００１７】
本発明２によれば、本発明１と同様に小石、ゴミを濾して取り除くことができるものである。
【００１８】
本発明３によれば、掬い板１と平板２から７の隙間で濾された小石、ゴミを、底面及び後方面に設けた網１３によって、更に小さい小石、ゴミを取り除くことが出来るものである。
【００１９】
本発明４によれば、この濾し具を人が引っ張った場合、車輪１８とブラシローラー１９は回転して、掬い板１の前方から掬い板１上に押し上げられた土砂は、直ぐに平板２，３から７上に跳ね上げるので、引っ張り易く小石、ゴミも濾し易くすることが出来るものである。
【００２０】
本発明５によれば、両側板９，９に紐やパイプを取り付けて自転車、バイク、自動車でスピードを上げて引っ張った場合、土砂は掬い板１の先端に当たって掬い板１や平板２から７上に跳ね上げられ散らばった土砂は、網の中で走っている振動によって小石、ゴミを濾して振り分けることが出来る。
【発明を実施するための最良の形態】
【００２１】
平板と平板の間に隙間を設ける。
【実施例】
【００２２】
実施の形態の一例として、図１は本発明１の斜視図を示している。細長い方形の掬い板１の一方の端部から斜め上方に向けて複数枚の細長い平板２から７を設け、その掬い板１及び平板２から７上の両端部及びその中間複数箇所に、掬い板１と平板２から７の幅より長く成された隙間用材１０・・・１０を介して、掬い板１及び平板２から７を階段状にして配設されていることで構成されている。
【００２３】
本発明１は、細長い方形の掬い板１の幅より長い上面後方部を下方に傾斜させた隙間用材１０を、掬い板１上の両端部及びその中間複数箇所に溶接などによって取り付け、掬い板１から後方に突き出している隙間用材１０の上面の下方に傾斜した部分に平板２を掬い板１と平行にして溶接などによって取り付ける。上記の方法で平板３から７を階段状に固定した場合、隙間用材１０の一定の厚みだけの隙間を創ることが出来るので、隙間より大きいものは濾して取り除くことが出来る。これは後方に向かって階段状になっているが、前方に向かって階段状にして取り付けることもある。そして隙間は掬い板１の後方上方の角と平板３から７の前方下方の角で形成されているので、濾されて溜まっている小石、ゴミは詰まり難い構造になっている。
【００２４】
本発明１は、掬い板１の底面を地面上に擦らせて前進させて掬い板１の前方に盛り上がってくる土砂は掬い板１上に押し上げられ、そして平板２から７上へと押し上げられる。掬い板１と平板２の隙間より小さい土砂は隙間から落されるが、平板２から７は後方下方に傾斜しているので、濾されて残った小石、ゴミは戻されずに隙間の上に溜まることになる。実施の形態の一例として、この濾し具は平板７上の中央部に握り棒５の先端を取り付けて引っ張って使用する場合と自動車の前後に取り付けて使用することも出来る。
【００２５】
実施の形態の一例として、掬い板１は３ｍｍ×３２ｍｍのフラットバー、平板２から７は２ｍｍ×１０ｍｍのフラットバー、そして隙間用材１０は４ｍｍの角材を使用し、全長は１ｍのものを製作した場合、５ｍｍ位の小石を取り除くことが出来る。材質はステンレス、鉄、アルミなど金属で製作することが出来る。また、平板材や隙間用材のサイズを変えて製作することで必要に応じた大きさのものを濾すことが出来るものである。
【００２６】
実施の形態の一例として、図２は本発明２の斜視図を示している。請求項１記載の隙間用材１０・・・１０に変えて、底部及び後部の形を階段状にした定形板８・・・８を平行にして、掬い板１及び平板２から７に対して直角に複数箇所に設け、掬い板１及び平板２から７を階段状にして配設されていることで構成されている。
【００２７】
本発明２の定形板８は、底部及び後部に平板２から７の幅と同じ長さの後方下方に傾斜させた切り込みを階段状に入れてあり、その定形板８を平行にして複数箇所に設け、その切り込みに平板２から７を溶接などによって取り付けてある。掬い板１は水平にして定形板８の前方底辺に取り付けてあり、掬い板１と平板２から７の隙間を一定にして創ることが出来るので、その隙間によって小石、ゴミを濾して取り除くことができるものである。定形板８の切り込みの形を変えることによって様々な角度と大きさの隙間を創ることが出来る。
【００２８】
実施の形態の一例として、図３は本発明３の斜視図を、図４は図３のＡ−Ａの横断面図を示している。請求項１又は２記載のグランド濾し具において、掬い板１と平板２から７の下部及び後部に網１３を配設したことで構成されている。
【００２９】
図３は、本発明１の濾し具の平板７の上面中央部に握り棒１７の先端を取り付け、両側面に側板９，９を設けたものである。そして図４は平板２から７の下部及び後部に網１３を取り付けたことを示している。本発明３の濾し具の握り棒１７を持って地面上を擦らしながら引っ張っていく場合、掬い板１の前方に盛り上がった土砂は掬い板１の上に押し上げられ平板２，３，４上に溜まる。そして地面を擦らす振動によって後方に傾斜した平板面を滑って隙間より小さな土砂、小石、ゴミは網１３上に落され、平板２から７の隙間より細かい網１３によって濾されることになるので、比較的小さい小石までも取り除くことが出来る。また平板面に土砂が溜まり過ぎた場合は、握り棒１７を真直ぐに立て濾し具全体を振動させることによって隙間や網１３より大きい小石、  ゴミを取り除くことが出来るものである。本発明２のグランド濾し具に網１３を取り付けた場合も上記で説明したように同様の作用効果がある。
【００３０】
常に競技を始める前にはレーキを掛ける習慣がついているので、本発明３のグランド濾し具の握り棒１７を持ってグランドやテニスコートを歩き回っているとその度小石、ゴミを取り除くことが出来るので、日常的にグランドを綺麗に整備できるようになる。また、掬い板１の全長が５０ｃｍぐらいの短いものは塵取りのような使用方法で、ほうきで掃いて小石、ゴミを集めることも出来る。
【００３１】
最初に本発明３のグランド濾し具を使用する時は隙間や網１３目の大きいものを使用し、徐々に隙間の小さいものや網目の細かいものに変えていく方法でグランド整備をすると、より小さな小石を取り除くことができるようになる。また土砂が乾燥している状態の場合は、隙間の小さい網目の細かい濾し具を使用し、水分を含んだ状態では、隙間の大きいものを使用するようにすると良い。また、水分の非常に多い地面では濾し具の中に土砂が詰まってしまうことがあるが、土砂の重量を利用して地面を均すことも出来る。
【００３２】
本発明３の実施の形態として、本発明３の両側板９、９に回動可能にして設けた垂下辺にローラー１５或いはブラシを取り付けた濾し具を使用した場合は、地面の土砂の中から小石、ゴミなどを取り除いた後に、ローラー１５で地面を圧し均すことができる。またローラー１５の変わりにブラシを取り付けた場合も同様に掃き均すことができる。上記の濾し具は一度に小石拾いとグランド均しをすることができるので、短時間でグランド整備をすることが出来るものである。
【００３３】
実施の形態の一例として、図５は本発明４の斜視図を、図６は図５のB−Bの横断面図を示している。請求項１、２又は３記載のグランド濾し具において、掬い板１と平板２から７の両側面に側板９、９を取り付け、その両側板９、９の前方端部に軸受けを設け、両端部に車輪１８、１８を取り付けたブラシローラー１９を回転自在に軸支させて配設したことで構成されている。
【００３４】
本発明４のグランド濾し具の握り棒１７を握ってグランド面を引っ張り続けた場合、両車輪１８、１８の回転によって地面を削り過ぎないように、一定の高さを保ちながら地面上を削りながら進むことが出来るので、盛り上がった土砂などは掬い板１の前や掬い板１上に集められる。そして両車輪１８，１８とローラーブラシ１９は図６で示しているように矢印Cの方向に回転しているので、掬い板１付近に集められた土砂、小石１２、ゴミなどはブラシローラー１９の回転力によって平板２から７上に跳ね上げられることになる。引っ張っている間ブラシローラー１９は連続して回転しているので、握り棒１７の角度を上下に変えることで、跳ね上げる量を調整しながら作業をすることが出来るものである。
【００３５】
実施の形態の一例として、本発明４の車輪１８とブラシローラー１９は連結されているが、車輪１８とブラシローラー１９を別々に回転するような構造にして、ブラシローラー１９だけにエンジンやモーターを取り付けて自動的に回転するようにした場合、掬い板１付近の土砂、小石、ゴミは溜まることなくブラシローラー１９の回転力によって平板２から７上に跳ね上げることが出来る。
【００３６】
実施の形態の一例として、図７は本発明５の斜視図を示している。請求項１、２又は３記載のグランド濾し具において、掬い板１の長手方向前方の両端部及び中間複数箇所に前方上方に突き出した滑り板１４を設け、両側面に取り付けた両側板９、９より後方に突き出した両支持板１１、１１の後端部の間に、ローラー１５或いは車輪１８を回転自在にして軸支させ、濾し具上方面全体に網１）を配設したことで構成されている。
【００３７】
実施の形態の一例として、本発明５のグランド濾し具は両側面９，９に紐やパイプを取り付けて自転車、バイク、自動車でスピードを上げて引っ張った場合は、滑り板１４によって地面上を滑って行くので、掬い板１の先端に当たった土砂は外側に飛び出ることなく網１３の中の平板２から７上に全て跳ね上げられることになる。そして集められた土砂は動いている振動によって、小石、ごみは振り分けられ、底面外側に取り付けてある網１３によって、更に小さな小石、ゴミを濾して取り除くことが出来るものである。
【００３８】
実施の形態の一例として、ローラー１５の直径は５ｃｍ、全長１ｍ、幅２０ｃｍ、掬い板は厚み２．７ｍｍ幅３２ｍｍ、平板２から７は厚み２．７ｍｍ幅１３ｍｍ、濾し具の網１３は、ステンレス製の線径１．２ｍｍの３メッシュを使用しているが、グランドを調整する時の小石の大きさに合わせて網目の粗さを変える事は出来る。
【図面の簡単な説明】
【００３９】
【図１】本発明１の実施の形態の一例を示す斜視図である。
【図２】本発明２の実施の形態の一例を示す斜視図である。
【図３】本発明３の実施の形態の一例を示す斜視図である。
【図４】本発明３の図３のA−A横断面図である。
【図５】本発明４の実施の形態の一例を示す斜視図である。
【図６】本発明４の図５のB−B横断面図である。
【図７】本発明５の実施の形態の一例を示す斜視図である。
【符号の説明】
【００４０】
１    掬い板
２    平板
３    平板
４    平板
５    平板
６    平板
７    平板    
８    定形板
９    側板
１０    隙間材
１１    支持板
１２    小石
１３    網
１４    滑り板
１５    ローラー
１７    握り棒
１８    車輪
１９    ブラシローラー
【要約】
【課題】
誰でも簡単に比較的小さな小石も取り除いて地面を均すことやバイク、自転車、自動車などで引っ張ることによって短時間に整地作業が出来ることを課題としたものである。
【解決手段】
細長い方形の掬い板１の一方の端部から斜め上方に向けて複数枚の細長い平板２から７を設け、その掬い板１及び平板２から７上の両端部及びその中間複数箇所に、掬い板１と平板２から７の幅より長く成された隙間用材１０・・・１０を介して、掬い板１及び平板２・・・７を階段状にして配設されていることである。
【選択図】  図３
【図１】
0003555113.tif 000002
【図２】
0003555113.tif 000003
【図３】
0003555113.tif 000004
【図４】
0003555113.tif 000005
【図５】
0003555113.tif 000006
【図６】
0003555113.tif 000007
【図７】
0003555113.tif 000008